(57)【要約】【課題】ＰＴＰシートの薬剤の取り出しを規制できるように包装することにより、薬剤の誤飲という事態を適切に回避し、安全且つ適正な薬剤の服用及び管理に寄与することを課題する。【解決手段】二片間にＰＴＰシートを収納すべく一片にＰＴＰシートの薬剤が収容される収容孔が設けられると共に、該収納孔に対向させて他片に前記薬剤を取り出すための取り出し孔が設けられるＰＴＰシート用包装体であって、該取り出し孔を開閉させるべく規制片が前記ＰＴＰシートと他片間にスライド可能に介装され、且つ前記一片及び他片には規制片が表出する長孔が対向して設けられなることを特徴とする。【選択図】      図１
2004299728.tif 000002
【特許請求の範囲】
【請求項１】
二片間にＰＴＰシートを収納すべく一片にＰＴＰシートの薬剤が収容される収容孔が設けられると共に、該収納孔に対向させて他片に前記薬剤を取り出すための取り出し孔が設けられるＰＴＰシート用包装体であって、該取り出し孔を開閉させるべく規制片が前記ＰＴＰシートと他片間にスライド可能に介装され、且つ前記一片及び他片には規制片が表出する長孔が対向して設けられてなることを特徴とするＰＴＰシート用包装体。
【請求項２】
前記一片の一端部と収納孔間及び他片の一端部と取り出し孔間が幅広に形成され、且つ一片の長孔が前記一端部よりも収納孔側に設けられると共に、他片の長孔が前記一端部よりも取り出し孔側に設けられてなる請求項１記載のＰＴＰシート用包装体。
【請求項３】
前記一片又は他片の少なくとも何れか一方の長孔に取り外し可能な蓋が設けられてなる請求項１又は２記載のＰＴＰシート用包装体。
【請求項４】
前記取り出し孔の開放時に規制片をスライドさせて取り出し孔を閉鎖させるべく規制片の端部が表出する切欠が一片又は他片の少なくとも何れか一方の端部に形成されてなる請求項１乃至３の何れかに記載のＰＴＰシート用包装体。
【発明の詳細な説明】
【０００１】
【発明の属する技術分野】
本発明は、医薬品包装の分野に於いて、固形剤包装用として一般に使用されているＰＴＰ（Ｐｒｅｓｓ  Ｔｈｒｏｕｇｈ  Ｐａｃｋａｇｅ）シートを包装するための包装体に関する。
【０００２】
【従来の技術】
従来、この種の包装体としては、例えば特許文献１所載の発明が存在する。
【０００３】
即ち、この従来の包装体は図４に示すように、相互に重合される二片１ａ，９ａ間にＰＴＰシート２ａを挟持固定して収納するものであり、その一片１ａにはＰＴＰシート２ａの薬剤３ａを収容可能な収容孔４ａが形成されると共に、収容された薬剤３ａに対向して他片９ａには薬剤３ａを取り出すための取り出し孔１１ａが開口されている。また、各片１ａ，９ａには使用上の注意や服薬履歴等の留意事項が記載されて、各種情報を使用者、医師、薬剤師等に確実に伝達し得るように配慮がなされている。
【０００４】
そして、実際に包装体から薬剤３ａを取り出す場合は、包装体の一片１ａ側から薬剤３ａを押圧することによりＰＴＰシート２ａの裏面側のアルミ箔を破って薬剤３ａが取り出される。
【特許文献１】
特開平１０−５９４１５号公報
【０００５】
【発明が解決しようとする課題】
しかしながら、前記従来の包装体に於いては、薬剤３ａを押圧するだけで容易にこれを取り出すことができるため、手が届くところに置いてあると子供等が薬剤３ａを誤飲する危険性が高いという大なる問題点を有していたのである。
【０００６】
また、他片９ａには薬剤３ａと対向して取り出し孔１１ａが設けられているので、その流通過程等に於いて薬剤３ａが不用意に押圧力を受けて、外部へ離脱するという難点もあった。
【０００７】
それ故に、本発明は上記従来の問題点を解決すべくなされたものであり、ＰＴＰシートの薬剤の取り出しを規制できるように包装することにより、子供等の薬剤の誤飲という事態を適切に回避し、安全且つ適正な薬剤の服用及び管理に寄与することを課題する。
【０００８】
【課題を解決するための手段】
即ち、上記課題を解決するために本発明が採った手段は、二片間にＰＴＰシートを収納すべく一片にＰＴＰシートの薬剤が収容される収容孔が設けられると共に、該収納孔に対向させて他片に前記薬剤を取り出すための取り出し孔が設けられるＰＴＰシート用包装体であって、該取り出し孔を開閉させるべく規制片が前記ＰＴＰシートと他片間にスライド可能に介装され、且つ前記一片及び他片には規制片が表出する長孔を対向させて設けたことにある。
【０００９】
また、請求項２に記載の発明のように、一片の一端部と収納孔間及び他片の一端部と取り出し孔間を幅広に形成し、且つ一片の長孔を前記一端部よりも収納孔側に設けると共に、他片の長孔を前記一端部よりも取り出し孔側に設けても構わない。
【００１０】
更には、請求項３に記載の発明の如く、一片又は他片の少なくとも何れか一方の長孔に取り外し可能な蓋を設けたり、請求項４に記載の発明のように、取り出し孔の開放時に規制片をスライドさせて取り出し孔を閉鎖させるべく規制片の端部が表出する切欠を一片又は他片の少なくとも何れか一方の端部に形成してもよい。
【００１１】
従って、上記発明特定事項からなるＰＴＰシート用包装体に於いては、通常は規制片により他片の取り出し孔が閉鎖される状態にしておく。そして、薬剤を取り出す場合は、一片及び他片の長孔から表出する規制片の表裏両面を指で挟持しながらスライドさせて前記取り出し孔を開放した後、薬剤を一片側から押圧すれば取り出し孔から薬剤を取り出すことができる。更に、取り出し孔を閉鎖する場合は同様にして規制片を逆方向にスライドさせて元の位置に戻せばよい。
【００１２】
また、請求項４に記載の発明に於いては、取り出し孔の開放時には切欠から規制片の端部が表出するので、この端部を内側に押圧すれば規制片が取り出し孔を閉鎖する元の位置に戻ることになる。
【００１３】
【発明の実施の形態】
以下、本発明の一実施形態について図面に従って説明する。
【００１４】
図１乃至図３に於いて、１はＰＴＰシート２の薬剤３が収容される複数の収容孔４を設けた一片で、収容孔４と一片１の一端部５間は幅広に形成している。６は一端部５よりも収容孔４側の位置に設けた長孔で、該長孔６は外周に切目７を有する蓋８により一部を除いて閉鎖されている。尚、本実施形態では長孔６の位置は一端部５から子供の手では操作しにくい約３ｃｍ程離して形成している。
【００１５】
図３中、９は折り目１０を介して前記一片１に連設した他片で、この折り目１０で一片１を他片９側に折り込んだ時に、一片１の収容孔４と対向するようにＰＴＰシート２の薬剤３を取り出すための取り出し孔１１が設けられると共に、一片１の長孔６に対向する長孔１２が設けられている。１３，１４は一片１及び他片９の端部に夫々形成した切欠を示す。１５は一片１と接着すべく他片９の一端部側、他端部側及び下端部側に設けたシール部であり、１６は他片９の他端部にヒンジ片１７を介して連設した蓋片である。
【００１６】
１８は他片９とＰＴＰシート２間に介装される規制片で、図３の如く他片９の一端部に折り目１９及び連結片２０を介して連設されてなり、規制片１８と連結片２０間には両者が離脱可能なように数箇所を除いて切目２１が形成されている。２２は切目２１の側方に設けた凹凸部で、エンボス加工により幅方向に形成している。２３は凹凸部２２の側方に設けた複数の孔で、前記収納孔４及び取り出し孔１１と略同形状に形成されており、規制片１８を折り目１９から他片９側に折り込んだ際には、孔２３は収納孔４及び取り出し孔１１とは一致しないように、即ち該取り出し孔１１が閉鎖されるように設定してなり、且つ規制片１８の一端部２４及び下端部２５の側方位置に他片９のシール部１５が夫々配置されると共に、一片１及び他片９の切欠１３，１４から規制片１８の上端部が表出しないように設定している。尚、他片９の上端部にはシール部１５を設けていないため、図２の如く使用に際して規制片１８を連結片２０から離脱させた場合、該規制片１８は他片９とＰＴＰシート２間を上下方向にスライドさせることができる。
【００１７】
本実施形態は以上のような構成からなるが、取り出し孔１１は規制片１８により閉鎖され、且つ該規制片１８は連結片２０を介して他片９に固定されてスライドできない状態にあるため、流通過程等に於いて薬剤３がＰＴＰシート２から不用意に離脱するようなことはない。
【００１８】
次に、この包装体から薬剤３を取り出して服用する場合について説明する。先ず、図２のように蓋片１６を開放した状態で一片１の切目７を破断して蓋８を離脱せしめて長孔６を開口する。そして、該長孔６及び他片９の長孔１２から表出した規制片１８の凹凸部２２を表裏両側から指で挟持しながら矢印Ａ方向に動かすと、規制片１８が連結片２０から離脱して該規制片１８をスライドさせることが可能になり、前記凹凸部２２の存在により規制片１８のスライド操作がより容易に行える。
【００１９】
また、長孔６を開口することにより初めて規制片１８をスライドさせて薬剤３を取り出せるように構成してなるため、長孔６を予め蓋８により閉鎖しておくことで、薬剤３への不正な操作が規制され、改ざん防止が図れる等、薬剤３の管理の便に供し得るという利点がある。
【００２０】
そして、規制片１８の孔２３が他片９の取り出し孔１１と一致するまで規制片１８をスライドさせると、規制片１８の端部が一片１及び他片９の切欠１３，１４から表出し、この状態で薬剤３を押圧すればＰＴＰシート２の裏面のアルミ箔が破断されて薬剤３を取り出すことができる。
【００２１】
その後、薬剤３の取り出しを規制する場合は、先程とは逆に長孔６，１２から規制片１８を挟持しつつ元の位置にまで該規制片１８をスライドさせるか、或いは前記切欠１３，１４に表出した規制片１８の端部を内方に押圧して元の位置にまで規制片１８をスライドさせれば、該規制片１８により他片９の取り出し孔１１が閉鎖されることになる。
【００２２】
而して、この取り出し孔１１の閉塞により薬剤３の取り出しが確実に規制させるため、子供等が不用意に薬剤３を取り出すことを阻止することができる。しかも、一片１及び他片９の長孔６，１２は各片１，９の一端部から子供の手では操作しにくい約３ｃｍ程離れた位置に形成しているため、子供の手で規制片１８を挟持してこれをスライドさせることは非常に困難なものとなり、その結果、子供等による薬剤３の誤飲という事態を確実に防止でき、安全且つ適切に薬剤６を保護者等が管理し得ることになるのである。
【００２３】
また、他片９に一片１及び規制片１８を連設してなるため、これら各片１，１８を他片９側に折り返してやれば包装体を組立てられるため、その組立作業が非常に簡易且つ効率的に行えるという利点もある。
【００２４】
尚、上記実施形態に於いては、規制片１８を連結片２０に破断可能に設け、且つ長孔６，１２から表出した規制片１８を表裏両側から指で挟持しながら動かすことにより連結片２０から離脱せしめて規制片１８が初めてスライドし得るように構成すると共に、使用開始前は規制片１８により他片６の取り出し孔１１が閉鎖されるように設定したため、規制片１８の不用意なスライドが確実に阻止されるという利点を得た。但し、規制片１８は連結片２０とは別体に構成してもよく、連結片２０を省略することも可能である。この場合は一片１及び他片９の一端側にシール部を設ける等して、規制片１８のスライド時のガイドして機能させる。同様に、他片９とは別体で一片１及び蓋片１６を構成してもよい。
【００２５】
また、一片１及び他片９に設けられる長孔６，１２の位置は、上記実施形態のように両片１，９の一端部から離れて設けることが好ましいが、その具体的な位置は問わない。
【００２６】
更に、上記実施形態では、一片１の長孔６に蓋８を設けたが、他片９の長孔１２側にのみ蓋８を設けたり、長孔６，１２の双方に設けてもよい他、蓋８を設けずに各長孔６，１２を構成しても構わない。
【００２７】
更に、切欠１３，１４も上記実施形態の如く一片１及び他片９の双方に設ける必要はなく、何れか一方にのみ設けてもよい他、切欠１３，１４を省略して両片１，９を構成することも可能である。
【００２８】
また、蓋片１６、規制片１８の凹凸部２２等も本発明の必須の発明特定事項ではない。
【００２９】
その他、一片１、他片９、規制片１８及びこれらの部材に夫々に設けれられる収容孔４、取り出し孔１１、孔２３の形状や形成位置等も本発明の意図する範囲内に於いて任意に設計変更自在である。
【００３０】
更に、本発明に係る包装体が適用可能なＰＴＰシート２は上記実施形態のものに限らず、例えば薬剤を１個だけ収納したＰＴＰシート等にも幅広く適用可能である。
【００３１】
【発明の効果】
以上説明したように本発明に係るＰＴＰシート用包装体は、他片の取り出し孔を開閉させるべく規制片がＰＴＰシートと他片間にスライド可能に介装され、且つ一片及び他片には規制片が表出する長孔が対向させて設けられなるため、規制片により取り出し孔を閉鎖しておくことにより、不用意に薬剤が取り出されることはない。しかも、一片及び他片の長孔から表出する規制片の表裏両面を挟持しつつスライドさせて取り出し孔を開放するという取り出し孔の開放手段を採用してなるため、子供等にとっては規制片のスライド操作が困難なものになる結果、子供等による薬剤の誤飲という事態の発生を適切に回避でき、安全且つ適正な薬剤の服用及び管理が可能になるという格別の効果を得るに至った。
【００３２】
特に、請求項２に記載の発明のように、子供の手の大きさを考慮して前記長孔を設ける位置を設定すれば、子供による薬剤の取り出しをより一層確実に防止できるという効果が得られる。
【００３３】
更に、請求項３に記載の発明に於いては、一片又は他片の少なくとも何れか一方の長孔に取り外し可能な蓋を設けてなるため、薬剤への不正な操作が規制されることによって、改ざん防止が図れる等、薬剤管理の便に供し得るという特有の効果を奏する。
【００３４】
また、請求項４に記載の発明にあっては、取り出し孔の開放時に規制片をスライドさせて取り出し孔を閉鎖させるべく規制片の端部が表出する切欠を一片又は他片の少なくとも何れか一方の端部に形成してなるため、この規制片の端部を押圧すれば取り出し孔を確実に閉鎖することができて、薬剤の誤飲防止や薬剤管理に寄与し得るという効果がある。
【００３５】
更に、本発明では上述したように通常は規制片より取り出し孔が閉鎖されているので、ＰＴＰシートの流通過程等に於いて、薬剤が不用意に押圧力を受けて外部へ離脱するという虞もない。
【図面の簡単な説明】
【図１】本発明の第一実施形態に係るＰＴＰシート用包装体の正面図。
【図２】同実施形態の使用状態を示す正面図。
【図３】同実施形態の展開図。
【図４】従来のＰＴＰシート用包装体を示す斜視図。
【符号の説明】
１…一片、２…ＰＴＰシート、３…薬剤、４…収容孔、５…一端部、６…長孔、８…蓋、９…他片  １１…取り出し孔、１２…長孔、１３…切欠、１４…切欠、１８…規制片
【図１】
2004299728.tif 000003
【図２】
2004299728.tif 000004
【図３】
2004299728.tif 000005
【図４】
2004299728.tif 000006